(57)【要約】【課題】融着作業回数を半分にすることによって、建物の改修工事に伴って行われる、建物とガス本管とを接続する分岐ガス管の工事を簡素化することができる。【解決手段】道路２側に埋設されたガス本管３と建物１との間に接続された分岐ガス管４の埋設地面に掘削坑７を掘って、敷地境界５内の分岐ガス管４Ｂを露出させ、次いで、分岐ガス管４Ｂを機械的に潰してガス本管３からのガスを遮断し、次いで、この遮断箇所と建物１側との間の分岐ガス管４Ｂを切断し、次いで、一方端がメカニカル継手１３、他方端がポリエチレン管１４で構成される開閉バルブ１５の前記他方端を、分岐ガス管４Ｂのガス本管側切断端部に融着し、次いで、開閉バルブ１５を閉じた後、掘削坑７を埋め戻し、次いで、建物１の改修工事終了後、掘削坑７を掘り起こして分岐ガス管４Ｂを再び露出させ、そして、メカニカル継手１３に建物１側から引き込んだ分岐ガス管４Ｃを機械的に嵌め込んで、ガス本管３と建物１とを分岐ガス管４を介して接続する。【選択図】  図１
2004360858.tif 000002
【特許請求の範囲】
【請求項１】
道路側に埋設されたガス本管と建物との間に接続された分岐ガス管の埋設地面に掘削坑を掘って分岐ガス管の一部を露出させ、次いで、露出した前記分岐ガス管を機械的に潰して前記ガス本管からのガスを遮断し、次いで、前記遮断箇所と前記建物側との間の前記分岐ガス管を切断し、次いで、一方端がメカニカル継手、他方端がポリエチレン管で構成される開閉バルブの前記他方端を、前記分岐ガス管の前記ガス本管側切断端部に融着し、次いで、前記開閉バルブを閉じた後、前記掘削坑を埋め戻し、次いで、前記建物の改修工事終了後、前記掘削坑を掘り起こして前記分岐ガス管を再び露出させ、そして、前記メカニカル継手に前記建物側から引き込んだ分岐ガス管を機械的に嵌め込んで、前記ガス本管と前記建物とを前記分岐ガス管を介して接続することを特徴とするガス管工事方法。
【発明の詳細な説明】
【０００１】
【発明の属する技術分野】
この発明は、ガス管工事方法、特に、融着作業回数を半分にすることによって、建物の改修工事に伴って行われる、建物とガス本管とを接続する分岐ガス管の工事を簡素化することができるガス管工事方法に関するものである。
【０００２】
【従来の技術】
建物内にガスを引き込むには、図３に示すように、敷地境界５内の建物１と道路２側に埋設されたガス本管３との間を分岐ガス管４（敷地境界５外の分岐ガス管４Ａと敷地境界５内の分岐ガス管４Ｂとから構成される。）により接続することにより行われる。
【０００３】
建物１の建て替えやリフォーム等の改修工事を行なう場合には、分岐ガス管４を敷地境界５の付近で切断し、建物１の改修工事の終了後、建物１側から新たに引き込んだ分岐ガス管４Ｃを、ガス本管３に接続するというガス管工事が必要となる。
【０００４】
通常、分岐ガス管４がポリエチレン管の場合で口径が５０ｍｍ以上であると、、建物側分岐ガス管４Ｂに地上から操作可能な開閉バルブ６が設置されていることが多い。この場合には、開閉バルブ６を閉鎖することによって、上述したガス管工事を容易に行なうことができるが、口径が５０ｍｍ未満の場合には、開閉バルブ６が設置されていないことが多い。この場合には、以下のようにして、上述したガス管工事が行なわれる。
【０００５】
図３に示すように、先ず、敷地境界５内の分岐ガス管４Ｂの埋設地面に掘削坑７を掘って分岐ガス管４Ｂを露出させる。次いで、露出した分岐ガス管４Ｂの途中をスクイズ治具８により機械的に潰してガスを遮断する。スクイズ治具８は、下部スクイズバー９とねじにより昇降可能な上部スクイズバー１０とを備えていて、上下スクイズバー９、１０間に分岐ガス管４Ｂを挟み込み、上部スクイズバー１０を締め付けて分岐ガス管４Ｂを潰すものである。
【０００６】
このようにして、ガス本管３からのガスを遮断したら、この遮断箇所と建物１側との間の分岐ガス管４Ｂの途中をカッター１１により切断する。次いで、図４に示すように、ガス本管３側の分岐ガス管４Ｂの切断口を、キャップ１２の融着により完全に遮断する。次いで、スクイズ治具８を取り外した後、掘削坑７を埋め戻し、建物１の改修工事終了までこのまま放置する。
【０００７】
建物１の改修工事完了後、図４に示すように、再び掘削坑７を掘り起こして、スクイズ治具８により分岐ガス管４Ｂの途中を遮断する。次いで、キャップ１２の手前で分岐ガス管４Ｂを切断し、分岐ガス管４Ｂと建物１側から引き込んだポリエチレン製分岐ガス管４Ｃとを掘削坑７内においてＥＦ（エレクトロフュージョン）ソケット２３を用いて融着機（図示せず）により接合する。この後、スクイズ治具８を取り外し、掘削坑７を埋め戻して、ガス管工事が終了する。
【０００８】
【発明が解決しようとする課題】
しかしながら、上述した従来のガス管工事方法は、融着作業回数が多いという問題があった。すなわち、建物１の改修工事終了前にガス本管３側の分岐ガス管４Ｂの切断口にキャップ１２を融着し、さらに建物１の改修工事終了後に分岐ガス管４Ｂと４Ｃとをソケット２３を介して融着する必要があった。これらの融着作業は、何れも口径が５０ｍｍ以下の小径管でありながら、専門の技能を有する作業者でなければ行なえなかった。従って、工事日程が限られると共に工費の高騰の原因になっていた。
【０００９】
従って、この発明の目的は、建物の改修工事に伴って行われる、融着作業回数を半分にすることによって、建物とガス本管との間に接続された分岐ガス管の工事を簡素化することができるガス管工事方法を提供することにある。
【００１０】
【課題を解決するための手段】
請求項１記載の発明は、道路側に埋設されたガス本管と建物との間に接続された分岐ガス管の埋設地面に掘削坑を掘って分岐ガス管の一部を露出させ、次いで、露出した前記分岐ガス管を機械的に潰して前記ガス本管からのガスを遮断し、次いで、前記遮断箇所と前記建物側との間の前記分岐ガス管を切断し、次いで、一方端がメカニカル継手、他方端がポリエチレン管で構成される開閉バルブの前記他方端を、前記分岐ガス管の前記ガス本管側切断端部に融着し、次いで、前記開閉バルブを閉じた後、前記掘削坑を埋め戻し、次いで、前記建物の改修工事終了後、前記掘削坑を掘り起こして前記分岐ガス管を再び露出させ、そして、前記メカニカル継手に前記建物側から引き込んだ分岐ガス管を機械的に嵌め込んで、前記ガス本管と前記建物とを前記分岐ガス管を介して接続することに特徴を有するものである。
【００１１】
【発明の実施の形態】
次に、この発明のガス管工事方法の一実施態様を、図面を参照しながら説明する。
【００１２】
図１は、この発明のガス管工事方法を示す説明図、図２は、この発明のガス管工事方法に使用するメカニカル継手を有する開閉バルブを示す断面図である。
【００１３】
図１に示すように、この発明によれば、以下のようにしてガス管工事が行なわれる。
【００１４】
敷地境界５内の建物１と道路２側に埋設されたガス本管３との間に接続された分岐ガス管４（敷地境界５外の分岐ガス管４Ａと敷地境界５内の分岐ガス管４Ｂとから構成される。）の埋設地面に掘削坑７を掘って敷地境界５内の分岐ガス管４Ｂを露出させる。次いで、分岐ガス管４Ｂを上述したスクイズ治具８等により機械的に潰してガス本管３からのガスを遮断する。次いで、この遮断箇所と建物１側との間の分岐ガス管４Ｂの途中をカッター１１により切断する。次いで、一方端がメカニカル継手１３、他方端がポリエチレン管１４で構成される開閉バルブ１５の前記他方端を、分岐ガス管４Ｂのガス本管側切断端部に融着する。メカニカル継手１３には、後述するナット１７が螺合するねじ１３Ａが形成されている。次いで、開閉バルブ１５を閉じ、スクイズ治具８を取り外した後、掘削坑７を埋め戻す。メカニカル継手１３には、保護キャップ１６を被せて、掘削坑７を埋め戻した際にメカニカル継手１３内に土砂が入らないようにしておく。
【００１５】
建物１の改修工事終了後、掘削坑７を掘り起こして分岐ガス管４Ｂを再び露出させ、そして、メカニカル継手１３に建物１側から引き込んだポリエチレン製分岐ガス管４Ｃを嵌め込み、ナット１７を締める。このようにして、ガス本管３と建物１とを分岐ガス管４を介して接続することによりガス管工事が完了する。
【００１６】
メカニカル継手１３は、図２に示すように、ねじ１３Ａに螺合するナット１７と、シールリング１８、１９、２０と、抜け止め防止リング２１とから構成され、シールリング１８、１９、２０、抜け止め防止リング２１とは、ナット１７内に設けられている。抜け止め防止リング２１の内面には、逆刃が形成されていて、ナット１７内に嵌め込まれた分岐ガス管４Ｃに引き抜き力が作用したときに、分岐ガス管４Ｃに食い込んで、分岐ガス管４Ｃの抜けを防止する。分岐ガス管４Ｃの端部内には、分岐ガス管４Ｃを補強するためのスリーブ管２２が嵌め込まれている。
【００１７】
メカニカル継手１３に分岐ガス管４Ｃを接続するには、分岐ガス管４Ｃ内にスリーブ管２２を嵌め込んだ後、分岐ガス管４Ｃの端部をメカニカル継手１３に嵌め込み、そして、ナット１７をねじ込み、締め付ける。分岐ガス管４Ｃの端部は、スリーブ管２２により補強されているので、ナット１７のねじ込みにより、分岐ガス管４Ｃが変形する恐れはない。メカニカル継手１３と分岐ガス管４Ｃとは、シールリング１８、１９、２０によりシールされ、分岐ガス管４Ｃに引き抜き力が作用した場合には、分岐ガス管４Ｃに抜け止め防止リング２１の逆刃が食い込むので、分岐ガス管４Ｃがメカニカル継手１３から抜け出ることはない。
【００１８】
なお、上記開閉バルブ１５とメカニカル継手１３とは、一体構造のものであるが、これらの組み合わせにより同様な効果がもたらされるのもであれば、他の構造のものであっても良い。
【００１９】
【発明の効果】
以上のように、この発明によれば、開閉バルブのポリエチレン管側の他方端に、ガス本管側の分岐ガス管を接続するには、ガス工事専門業者が融着機を用いて融着する必要があるが、メカニカル継手に建物側から引き込んだ分岐ガス管を接続する場合には、融着機を用いて融着する必要がなく、ガス工事専門業者以外の者であっても機械的に容易に接続することができる。従って、融着作業が従来ガス工事法に比べて半分で済むので、分岐ガス管工事が簡素化される。この結果、工事日程の自由度が広がるばかりか、工費の削減を図ることができるといった有用な効果がもたらされる。
【図面の簡単な説明】
【図１】この発明のガス管工事方法を示す説明図である。
【図２】この発明のガス管工事方法に使用するメカニカル継手を示す断面図である。
【図３】従来のガス管工事方法における分岐ガス管の切断工程を示す説明図である。
【図４】従来のガス管工事方法における分岐ガス管の融着工程を示す説明図である。
【符号の説明】
１：建物
２：道路
３：ガス本管
４：分岐ガス管
４Ａ：道路側分岐ガス管
４Ｂ：建物側分岐ガス管
４Ｃ：建物側から引き込んだ分岐ガス管
５：敷地境界
６：開閉バルブ
７：掘削坑
８：スクイズ工具
９：下部スクイズバー
１０：上部スクイズバー
１１：カッター
１２：キャップ
１３：メカニカル継手
１３Ａ：ねじ
１４：ポリエチレン管
１５：開閉バルブ
１６：保護キャップ
１７：ナット
１８、１９、２０：シールリング
２１：抜け止め防止リング
２２：スリーブ管
２３：ソケット
【図１】
2004360858.tif 000003
【図２】
2004360858.tif 000004
【図３】
2004360858.tif 000005
【図４】
2004360858.tif 000006